(57)【要約】【課題】表面が細かく起毛されて毛羽立ったようなスエード調のタイツを提供する。【解決手段】このタイツは、第１の領域Ｂおよび第２の領域Ｗが、ともに第１の編糸１０および第２の編糸２０を含んで編成される。第１の編糸１０で編んだ地組織（プレーン編の地組織）に対してそれ自体で編目を編成しないインレイ糸として第２の編糸２０を挿入した第１の領域Ｂと、第１の領域Ｂに連続して編成され、第１の編糸１０と第２の編糸２０とが入れ替わり、第２の編糸２０で編んだ地組織（プレーン編の地組織）に対してそれ自体で編目を編成しないインレイ糸として第１の編糸１０を挿入した第２の領域Ｗとを含む。地組織とインレイ糸による挿入組織とが細かく、かつ、ランダムに配置されている。【選択図】図４
2018141253.tif 000002
【特許請求の範囲】
【請求項１】
第１の編糸および第２の編糸を含んで編成した下半身用衣類であって、
前記第１の編糸で編んだ地組織に対してそれ自体で編目を編成しないインレイ糸として第２の編糸を挿入した第１の編み組織と、
前記第１の編み組織に連続して編成され、前記第１の編糸と前記第２の編糸とが入れ替わり、前記第２の編糸で編んだ地組織に対してそれ自体で編目を編成しないインレイ糸として第１の編糸を挿入した第２の編み組織とを含み、
前記地組織と前記インレイ糸による挿入組織とがランダムに配置され、表面がスエード調である、下半身用衣類。
【発明の詳細な説明】
【技術分野】
【０００１】
本発明は、タイツまたはパンティストッキングに代表される下半身用衣類（パンティストッキング型およびレッグ部のみのタイツまたはストッキング、ショートストッキング、靴下、フットカバー、スパッツ等）に関し、特に、従来のループ（ニット）とミスとで柄を編成した場合よりも細かい柄または／および模様（以下において模様を含めて柄と記載する場合がある）を形成することにより表面が細かく起毛されて毛羽立ったようなスエード調のタイツに代表される下半身用衣類に関する。
【背景技術】
【０００２】
近年の生活習慣上、人が靴を履くときに足に装着する衣類としての靴下を多くの人々が使用している。そのような衣類の中で、特に、女性の下半身を覆うタイツおよびストッキングは、外出時における女性の脚部の保護および保温さらには脚線美の向上の観点等から、広く世間に浸透している。
現在市販されているほとんどのタイツおよびストッキングは、ナイロン糸、または、ナイロン糸とポリウレタン糸とで編まれている。使用している糸により、「交編」および「ゾッキ」の２種類に大別される。
【０００３】
交編（交編編み）は、ナイロン糸と、サポート糸（ポリウレタン糸にナイロン糸を巻き付けたカバリング糸）を交互に使用して編成する。ある程度のサポート（弾性）力および透明感の両方を求めるときに好適である。種類が異なる２種類の糸を使用するため（構造上どうしても）横縞模様が表れやすい。
ゾッキ（ゾッキ編み）は、一般的にはサポート糸（ポリウレタン糸にナイロン糸を巻き付けたカバリング糸）だけで編成されているものが多い。良好なフィット性を求めるときに好適である。また、いわゆる伝線（使用中に編み組織の一部に引掛傷ができ糸が切れると生成される編み組織が解編されたはしご状の線）が発生しにくいという特徴を備えたゾッキ編みのストッキングが、最近では増えてきている。
【０００４】
このようなタイツまたはストッキングに柄（模様）を編成する場合には、たとえば、特開２０１２−０７２５３７号公報（特許文献１）に開示されるように、ループ（ニット）とミスとを組み合わせて、４×４（４目単位）の模様を規則的なパターンとして表現する。下半身用衣類においては、このようにして、柄（模様）を編成することが一般的である。
【先行技術文献】
【特許文献】
【０００５】
【特許文献１】特開２０１２−０７２５３７号公報
【発明の概要】
【発明が解決しようとする課題】
【０００６】
しかしながら、特許文献１に開示された一般的な編成方法で柄（模様）を編成できるのは４目単位でしかなく、それ以上の細かい柄（模様）を編成することはできない。したがって、細かく、かつ、ランダムに編目を変化させて編成できないために、表面が細かく起毛されて毛羽立ったようなスエード調を実現することが困難だった。
本発明は、従来技術の上述の問題点に鑑みて開発されたものであり、その目的とするところは、細かく、かつ、ランダムに編目を変化させて編成して、表面が細かく起毛されて毛羽立ったようなスエード調を発現できる、タイツに代表される下半身用衣類を提供することである。
【課題を解決するための手段】
【０００７】
上記目的を達成するため、本発明に係る下半身用衣類は以下の技術的手段を講じている。
すなわち、本発明に係る下半身用衣類は、第１の編糸および第２の編糸を含んで編成した下半身用衣類であって、前記第１の編糸で編んだ地組織に対してそれ自体で編目を編成しないインレイ糸として第２の編糸を挿入した第１の編み組織と、前記第１の編み組織に
連続して編成され、前記第１の編糸と前記第２の編糸とが入れ替わり、前記第２の編糸で編んだ地組織に対してそれ自体で編目を編成しないインレイ糸として第１の編糸を挿入した第２の編み組織とを含み、前記地組織と前記インレイ糸による挿入組織とがランダムに配置され、表面がスエード調である。ここで、スエード調とは、下半身用衣類の表面（着用したときに肌に当接する肌面とは逆側の面）が、毛羽立ったような風合いであったり、起毛されたような風合いであったり、短繊維で形成されたような風合いであったり、するものである。本発明に係るスエード調には、フェルト調、コーデュロイ調、ベロア調等の、表面が滑らかであるにも関わらずしゃりしゃり感が過度でなく柔らかい風合いを全て含むものである。なお、少なくとも表面がスエード調であればよく、表面に加えて肌面もスエード調であっても構わない。
【０００８】
好ましくは、前記インレイ糸は、前記地組織の編目のループに絡ませてかつ前記地組織の編目のつながり部に沿う方向と平行に編み込んでこれらループ間に挿入するタックインにより編成されるように構成することができる。
さらに好ましくは、前記第１の編糸と前記第２の編糸とは異なる糸であるように構成することができる。
【０００９】
さらに好ましくは、前記第１の編糸は、ナイロン６糸を含み、前記第２の編糸は、ナイロン６６糸を含むように構成することができる。
さらに好ましくは、前記第１の編糸と前記第２の編糸とは同じ糸であるように構成することができる。
さらに好ましくは、前記第１の編糸および前記第２の編糸は、ナイロン６糸を含むように構成することができる。
【００１０】
さらに好ましくは、前記下半身用衣類は、タイツ、ストッキングおよびパンティストッキングのいずれかであるように構成することができる。
【発明の効果】
【００１１】
本発明によれば、細かく、かつ、ランダムに編目を変化させて編成できるために、表面が細かく起毛されて毛羽立ったようなスエード調を発現できる、タイツに代表される下半身用衣類を提供することができる。
【図面の簡単な説明】
【００１２】
【図１】本発明の実施の形態に係るタイツの概略正面図である。
【図２】図１のタイツの編み組織を示す図面代用写真である。
【図３】図２の拡大図である。
【図４】図１のタイツの編み組織についての（Ａ）トレース図、（Ｂ）構成を模式的に示す図である。
【図５】図１のタイツの編み組織を説明するための組織図である。
【発明を実施するための形態】
【００１３】
以下、本発明の実施の形態として、下半身用衣類の一例であるタイツ１を、図面に基づき詳しく説明する。なお、本発明は、スカート等を履いても外部から見えるレッグ部２に好適に適用される。
［構成］
図１に、本実施の形態に係るスエード調タイツ（以下において単にタイツ１と記載する）の概略正面図を示す。このタイツ１は、腹部および臀部を被覆するパンティ部３と、脚を被覆するレッグ部２とを備えるものである。このタイツ１は、筒状に編成された１対の編地を用い、パンティ部３に相当する部分に切れ目を入れて裁断縁どうしをつき合わせて股部４を縫着して一体化することにより製造される。また、足部の爪先部は周知の手段により、袋状に縫着することにより製造される。
【００１４】
なお、本発明において、対象をタイツ（特に、スエード調タイツ）としているが、部分的にそのスエード調を備えたスパッツ等を含むこと、および、タイツよりも一般的に薄手のストッキングを含むこと、その他の下半身用衣類を含むことは、技術分野で上述した通りである。
このタイツ１においては、レッグ部２の少なくとも一部にはスエード調の風合いを備え
ることが特徴的である。スエード調の風合いとは、タイツ１の表面（着用したときに肌に当接する肌面とは逆側の面）が、毛羽立ったような風合いであったり、起毛されたような風合いであったり、短繊維で形成されたような風合いであったり、する。なお、少なくとも表面がスエード調であればよく、表面に加えて肌面もスエード調であっても構わない。
【００１５】
図２にこのスエード調の風合いを備えるタイツ１の編み組織を示す編地１００の図面代用写真を、図３にこの図２の拡大図を、それぞれ示す。このスエード調の風合いは、従来技術として説明したループ（ニット）とミスと４目単位でスエード調の風合いを発現させるようにしたものではなく、最小１目単位で編目をランダムに変化させることにより、表面がスエード調の風合いを発現させている。図２および図３の編地１００に示すように、たとえば、グレー色のタイツ１の場合、後述するように編目を細かく（最小１目単位）変化させることにより白っぽく見える領域と黒っぽく見える領域とがランダムかつ細かく配置されており、これによりスエード調の風合いを発現させている。
【００１６】
ここで、図４（Ａ）に示すタイツ１の編み組織についてのトレース図および図４（Ｂ）に示すそのトレース図を模式的に示した図、ならびに、図５に示すタイツ１の編み組織を説明するための組織図を参照して、最小１目単位で編目をランダムに変化させる点について、詳しく説明する。なお、図５に示す組織図と図４に示す図とは、最小１目単位で編目をランダムに変化させる点を説明するためのものであって、一致するものではない。
【００１７】
図４に示すように、このタイツ１は、第１の編み組織により編成された第１の領域Ｂおよび第２の編み組織により編成された第２の領域Ｗが、ともに第１の編糸１０および第２の編糸２０を含んで編成されている。より詳しくは、第１の編糸１０で編んだ地組織（図４に示すようにたとえばプレーン編の地組織であって後述する図５に示すプレーン(○)）に対してそれ自体で編目を編成しないインレイ糸（後述する図５に示すインレイ(流し込み：△×△×)）として第２の編糸２０を挿入した第１の編み組織により編成された第１の領域Ｂと、第１の領域Ｂに連続して編成され、第１の編糸１０と第２の編糸２０とが入れ替わり、第２の編糸２０で編んだ地組織（図４に示すようにたとえばプレーン編の地組織であって後述する図５に示すプレーン(○)）に対してそれ自体で編目を編成しないインレイ糸（後述する図５に示すインレイ(流し込み：△×△×)）として第１の編糸１０を挿入した第２の編み組織により編成された第２の領域Ｗとを含む。
【００１８】
これを編糸の入れ替わりに着目すると、第１の領域Ｂから連続して編成された第２の領域Ｗへ、図４に示す矢示Ｙ方向に沿った編糸の変化は、第１の編糸１０が、第１の領域Ｂにおいてプレーン編みのループを編成するループ糸から第２の領域Ｗにおいてインレイ糸となり、第２の編糸２０が、第１の領域Ｂにおいてインレイ糸から第２の領域Ｗにおいてプレーン編みのループを編成するループ糸となり、第１の領域Ｂと第２の領域Ｗとで、編糸が入れ替わることになる。なお、矢示Ｘ方向に沿った場合は上述した入れ替わりが逆になる。また、説明の都合のために矢示方向を限定したものであって、編み立て方向を限定するものではない。
【００１９】
このような特徴を備えたタイツ１において、インレイについては、詳しくは、以下のようにして編成される。図４に示すように、第１の領域Ｂにおけるインレイ糸である第２の編糸２０、および、第２の領域Ｗにおけるインレイ糸である第１の編糸１０は、地組織の編目のループに絡ませてかつ地組織の編目のつながり部に沿う方向と平行に（後述するタック目とミス目とを交互に編成して）編み込んでこれらループ間に挿入するタックイン（クロスインレイ：以下単にインレイと記載する場合がある）により編成される。
【００２０】
さらに詳しくは、このタイツ１のスエード調の風合いは、図５の組織図に示すように、プレーン目（○印）、タック目（△印）およびミス目（×印）のうちの、インレイ(流し込み：△×△×)とプレーン(○)とを細かくランダムに変化させた編み組織によって（規則的なパターンで編成した編み組織ではなく）、表面が毛羽立った(起毛された)ようなスエード調を発現している。なお、図４における第２の編糸２０のプレーン目２０Ｐが図５の○印で示すプレーン目プレーン目に、図４における第２の編糸２０のタック目２０Ｔが図５の△印で示すタック目に、図４における第２の編糸２０のミス目２０Ｍが図５の×印で示すミス目に、それぞれ対応する。
【００２１】
ここで、これらの第１の編糸１０と第２の編糸２０としては特に限定されるものではないが、タイツ１の伸縮性を発現させるために、シングルカバリング糸（ＳＣＹ：Ｓｉｎｇｌｅ  Ｃｏｖｅｒｅｄ  Ｙａｒｎ）のみのゾッキタイプで編成することが考えられる。そして、第１の編糸１０と第２の編糸２０とは、異なる糸であっても構わないし、同じ糸であっても構わない。異なる糸の場合には第１の編糸１０は（ＳＣＹの捲糸として）ナイロン６糸を含み第２の編糸２０は（ＳＣＹの捲糸として）ナイロン６６糸を含むように構成することができ、同じ糸の場合には第１の編糸１０および第２の編糸２０は（ＳＣＹの捲糸として）ナイロン６糸を含むように構成することができる。
なお、ＳＣＹに代えてダブルカバリング糸（ＤＣＹ：Ｄｏｕｂｌｅ  Ｃｏｖｅｒｅｄ  Ｙａｒｎ）、ウーリーナイロン糸であっても構わない。
【００２２】
［製造方法］
以下において、本実施の形態に係るタイツ１の製造方法を、編糸を具体的に示して説明する。なお、図４は模式的に編地を表したものであって図示された第１の編糸１０および第２の編糸２０の太さ等は、実際のもの（一例として挙げる以下の糸構成）とは異なる場合がある。以下においては、タイツ１にスエード調の風合いを発現させるものとして第１の編糸１０および第２の編糸２０に好適に選択されるＳＣＹを以下に示す。
・ＳＣＹ（捲糸：ナイロン６）
芯糸：ポリウレタン弾性糸（２２デシテックス／２フィラメント）
捲糸：ナイロン６糸（４４デシテックス／３６フィラメント）
・ＳＣＹ（捲糸：ナイロン６６）
芯糸：ポリウレタン弾性糸（２２デシテックス／２フィラメント）
捲糸：ナイロン６６糸（４４デシテックス／３４フィラメント）
【００２３】
なお、芯糸として用いられるポリウレタン弾性糸については、１５〜４５デシテックス／１〜３フィラメントであっても構わず、捲糸として用いられるナイロン６またはナイロン６６については、１０〜８０デシテックス／５〜１００フィラメントであっても構わず、さらに、カバリング糸のカバリング状態については、ポリウレタン弾性糸のドラフト率が２．５〜４倍、かつ、ナイロン糸の（単位長さあたりの）撚り数が５００〜２５００Ｔ／ｍである。
【００２４】
このような編糸を採用して編み上げた筒状に編成された１対の編地のパンティ部３に相当する部分に切れ目を入れて裁断縁どうしをつき合わせて股部４を縫着して一体化することにより製造されたタイツ１を必要に応じて染色して、表面が細かく起毛されて毛羽立ったようなスエード調を発現できる、図１に示すタイツ１が得られた。
【００２５】
［作用効果］
本実施の形態に係るタイツ１（スエード調タイツ１）の作用効果について以下に説明する。
（Ａ）このタイツ１においては、第１の編糸１０が、第１の領域Ｂにおいてプレーン編みのループを編成するループ糸から第２の領域Ｗにおいてインレイ糸となり、第２の編糸２０が、第１の領域Ｂにおいてインレイ糸から第２の領域Ｗにおいてプレーン編みのループを編成するループ糸となり、第１の領域Ｂと第２の領域Ｗとで、編糸が入れ替わることになる。このため、第１の領域Ｂにおいては、ループを編成する第１の編糸１０によりプレーン（○）が形成され（第２の編糸２０はインレイ（流し込み：△×））、第２の領域Ｗにおいては、ループを編成する第２の編糸２０によりプレーン（○）が形成され（第１の編糸１０はインレイ（流し込み：△×））、一目単位で編目を変化させて編成することができる。
【００２６】
（Ｂ）上述した（Ａ）の変化をランダムかつ細かく配置することにより、スエード調の風合いを発現させることができる。
（Ｃ）上述したように、プレーンとインレイとを、ランダムかつ細かく入れ替えて第１の領域Ｂおよび第２の領域Ｗを連続して編成して最小１目単位で編成するので、従来のループ（ニット）とミスとで柄を編成した場合よりも表面が滑らかな、タイツを実現することができる。特に、表面が滑らかであるのでゴワゴワ感がなく、表面が滑らかであるにも
関わらずしゃりしゃり感が過度でなく、長繊維で編成しているにも関わらず、短繊維（たとえば綿糸）で編成したような、タイツに好ましい質感（脚部の保護および保温さらには脚線美の向上の観点等で好ましい質感）を発現することができる。
【００２７】
以上のようにして、本実施の形態に係るタイツによると、細かく、かつ、ランダムに編目を変化させて編成できるために、表面が細かく起毛されて毛羽立ったようなスエード調を発現することができる。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２８】
本発明は、下半身用衣類に好適であり、細かく、かつ、ランダムに編目を変化させて編成できるために、表面が細かく起毛されて毛羽立ったようなスエード調のタイツ等の下半身用衣類に特に好適である。
【符号の説明】
【００２９】
１  タイツ
２  レッグ部
３  パンティ部
４  股部
Ｗ  第１の領域（第１の編み組織）
Ｂ  第２の領域（第２の編み組織）
１０  第１の編糸
２０  第２の編糸
１００  編地
【図１】
2018141253.tif 000003
【図２】
2018141253.tif 000004
【図３】
2018141253.tif 000005
【図４】
2018141253.tif 000006
【図５】
2018141253.tif 000007